(57)【要約】【課題】現在のコンピュータに基づく携帯可能な機器の状況を改善する。【解決手段】コンピュータに基づく携帯可能な機器を、コンピュータに基づく第２の機器に対する入力機器として使用する。【選択図】　　　図１
2004038975.tif 000002
【特許請求の範囲】
【請求項１】
コンピュータに基づく第２の機器の操作素子としてのコンピュータに基づく携帯可能な機器において、
コンピュータに基づく携帯可能な機器が、コンピュータに基づく第２の機器に対する入力機器として使用されることを特徴とする、コンピュータに基づく携帯可能な機器。
【請求項２】
コンピュータに基づく第１の機器とコンピュータに基づく第２の機器との間のデータ伝送のために赤外線インタフェースが存在する、請求項１記載のコンピュータに基づく携帯可能な機器。
【請求項３】
コンピュータに基づく２つの機器間のデータ伝送のために無線コネクションが存在する、請求項１記載のコンピュータに基づく携帯可能な機器。
【請求項４】
前記無線コネクションは、「ブルートゥース」またはＷＬＡＮ及び／又はＧＳＭ／ＧＰＲＳのプロトコルにより実施される、請求項３記載のコンピュータに基づく携帯可能な機器。
【請求項５】
コンピュータに基づく２つの機器間のデータ伝送のために有線コネクションが存在する、請求項１記載のコンピュータに基づく携帯可能な機器。
【請求項６】
前記有線コネクションは、シリアルコネクション、ＵＳＢ、ファイヤワイヤまたはＬＡＮのプロトコルにより実施される、請求項５記載のコンピュータに基づく携帯可能な機器。
【請求項７】
コンピュータに基づく機器のタッチスクリーンは「遠隔タッチパッド（Ｒｅｍｏｔｅ　Ｔｏｕｃｈｐａｄ）」として使用される、請求項１から６のいずれか１項記載のコンピュータに基づく携帯可能な機器。
【請求項８】
コンピュータに基づく第２の機器におけるマウスポインタ／カーソルの移動及び／又は位置決めは所定のキーによって実施される、請求項１から７のいずれか１項記載のコンピュータに基づく携帯可能な機器。
【請求項９】
コンピュータに基づく第２の機器のキー入力順序は携帯可能な機器における所定のキーによって実施される、請求項１から８のいずれか１項記載のコンピュータに基づく携帯可能な機器。
【請求項１０】
コンピュータに基づく機器と、コンピュータに基づく第２の機器との間のデータ伝送経路は双方向である、請求項１から９のいずれか１項記載の方法。
【発明の詳細な説明】
【０００１】
【発明の属する技術分野】
本発明は、コンピュータに基づく携帯可能な機器に関する。
【０００２】
【従来の技術】
ＰＤＡ（パーソナルディジタルアシスタント）、携帯電話（移動電話）またはノードブック（携帯可能なコンピュータ）のようなコンピュータに基づく携帯可能な機器は、構造形状がコンパクトであるのでますます人気を得ている。それに加えこれらの機器は、データ伝送に適している無線及びＩＲインタフェースを有する。またこれらの機器は、機器本来のタスクに基づき常に使用者の手の届く距離にある。
【０００３】
それにもかかわらずこれらの機器の使用領域は限定されている。このことは、しばしば非常に高額なこれらの機器の購入価格とは明らかに対照的である。したがって、携帯可能であり且つコンピュータに基づくそのような高価な機器の使用可能性を拡張することが望ましい。
【０００４】
例えばＰＤＡのようなコンピュータに基づく携帯可能な機器（第１の機器）に関して、ＰＤＡ本来の使用目的を、これらの機器を例えばＴＶ機器またはＨｉＦｉ機器のような娯楽電子機器のための多面的な遠隔操作装置として使用できるようにするために拡張するアプリケーションが公知である。コンピュータに基づく機器の操作素子ないし入力機器としてのこれらの機器のアプリケーションは知られていない。これらコンピュータに基づく第２の機器の実質的な操作素子は例えばマウス及び／又はキーボードであり、これらを用いてコンピュータのアプリケーションはデータを入力及び操作する。択一的にそのような入力機器は無線機器としても公知であり、これらの機器は無線または赤外線区間を介してコンピュータに基づく第２の機器と接続されている。
【０００５】
【発明が解決しようとする課題】
本発明の課題は上記の状況を改善することである。
【０００６】
【課題を解決するための手段】
この課題は、コンピュータに基づく携帯可能な機器が、コンピュータに基づく第２の機器に対する入力機器として使用されることによって解決される。
【０００７】
【発明の実施の形態】
例えばＰＤＡ、携帯電話またはノードブックのようなコンピュータに基づく携帯可能な機器はコンピュータに基づく第２の機器の操作素子として使用可能となる。本発明によるコンピュータに基づく携帯可能な機器は、他の機器のためのマウス及びキーボード入力をエミュレートし、離れた位置にあるコンピュータに基づく第２の機器に伝送することができる。そのようなコンピュータに基づく携帯可能な機器の利点は以下のことに要約できる。
【０００８】
１．標準的な伝送経路を使用することによって、複数のコンピュータに基づく第２の機器を制御することができる。
【０００９】
２．ＰＤＡ、携帯電話またはノードブックのような既存のハードウェアは付加的な機能によって、操作素子としての通常のないし必要な付属機器の代替を表す。
【００１０】
３．コンピュータに基づく第２の機器の機器固有の入力機器を使用することができる。
【００１１】
４．制御すべきコンピュータに基づく第２の機器との複数の無線接続の可能性、例えばＷＬＡＮ、ＩＲ、「ブルートゥース」を使用することができる。
【００１２】
５．例えばキーの組み合わせまたはキーの入力順序のような複雑な操作ステップを統合することができ、それ以降は例えば１つのキーを押すというような簡単な操作または略文字によって呼び出して、伝送することができる。
【００１３】
コンピュータに基づく携帯可能な機器の有利な実施形態は、コンピュータに基づく第２の機器と赤外線接続される例えばＰＤＡ、携帯電話、ノードブックである。このコンピュータに基づく携帯可能な機器を用いて、コンピュータに基づく第２の機器のための多面的な操作可能性が開ける。ＰＤＡのディスプレイに表示されたポップアップキーボードを介して、複雑な一連の命令をエミュレーションするためのキー組み合わせを形成することができる。さらには、ＰＤＡのタッチスクリーンをコンピュータに基づく第２の機器のタッチパッドとして使用することができる。同様に、ソフトウェア毎ないしキーを押す毎の固有のマウス運動ないしマウス位置決めを実施することができる。これには例えば、スクリーンまたはディスプレイの角のうちの１つへのマウスまたはカーソルの位置決め、またはスクリーンまたはディスプレイの中央へのマウスまたはカーソルの位置決め、またはスクリーンまたはディスプレイ側辺部の内の１つの中央へのマウスまたはカーソルの位置決めが属する。さらには頻繁に使用されるキーボードコマンドを迅速に形成することができる。
【００１４】
ＰＤＡ、携帯電話またはノードブックとの間のデータ伝送を、遠隔操作すべき機器からのデータを遠隔操作すべき機器に返送できる双方向データトラフィックへと拡張する場合には、アプリケーションのさらに多面的なヴァリエーションが生じる。例えば遠隔操作される機器の情報または状態を携帯可能な機器ないし遠隔操作される機器に表示することである。
【００１５】
本発明によるコンピュータに基づく機器は、例えば「ブルートゥース」またはＷＬＡＮのような種々の無線プロトコル、またはＵＳＢを用いる適切な付属機器との無線・有線組み合わせでもって、遠隔操作すべきコンピュータに基づく第２の機器とのコネクションを維持することができる。択一的に、コンピュータに基づく携帯可能な機器は有線接続されたコネクション区間、例えばシリアルコネクション、ＵＳＢ、ファイヤワイヤを介してもコンピュータに基づく第２の機器と接続することができる。
【００１６】
コンピュータに基づく機器の有利な実施形態似よれば、コンピュータに基づく第２の機器を遠隔操作するためにノートブックを使用することができる。したがってノードブックのキーボード及びノードブックのマウスを介する遠隔入力を実現することができる。
【００１７】
例えば携帯電話のようなコンピュータに基づく機器の本発明による実施形態の可能性も非常に有利であり、このコンピュータに基づく機器を、ＴＶ機器のメニュー操作に対するマウス機能をエミュレーションするために使用することができる。
【００１８】
以下では本発明を実施例及び図面に関連させて説明する。図面には他のコンピュータに基づく機器の代わりに本発明によるＰＤＡが示されている。
【００１９】
【実施例】
本発明によるＰＤＡ１はインタフェース５を有する。このインタフェース５は択一的に無線または赤外線インタフェースとして実施されており、無線インタフェースの場合にはこのインタフェースは例えば「ブルートゥース」またはＷＬＡＮまたはＧＰＳ／ＧＰＲＳのプロトコルに適合する。
【００２０】
さらにＰＤＡ１は、有利にはコンピュータに基づく第２の機器に対するマウス位置決めのための入力素子として利用される、タッチスクリーンないしタッチパッド（遠隔タッチパッド）２を使用することができる。
【００２１】
さらにＰＤＡ１はタッチスクリーン３の下端２には完全なキーボードが表示されており、先の尖った物体で触れることによって文字が選択され、自動的にＰＤＡ１によってコンピュータに基づく第２の機器に伝送される。
【００２２】
さらにＰＤＡ１はマウス位置決めキー４を使用でき、このマウス位置決めキー４は遠隔制御される第２のコンピュータに基づく機器におけるマウスポインタの、例えば左上方、右下方、左下方、右下方またはスクリーン中央のような所定の位置、または選択的に他の所定の位置への迅速な移動を実現する。
【００２３】
差し当たり上記では例えばＰＤＡ、携帯電話またはノードブックのようなコンピュータに基づく機器用のアプリケーションを説明しており、このアプリケーションはＰＣまたは同様のもののようなコンピュータに基づく第２の機器を操作可能にする。しかしながら本発明はこの実施例とだけ結びついているのではない。むしろ、本発明の基本思想はコンピュータに基づく機器とのさらなる組み合わせに適用できることが容易に分かる。
【図面の簡単な説明】
【図１】本発明によるＰＤＡ。
【符号の説明】
１　ＰＤＡ、　２　タッチパッド、　３　タッチスクリーンの下端、　４　マウス位置決めキー、　５　インタフェース
【図１】
2004038975.tif 000003